(57)【要約】【課題】  植木鉢の底穴から排出された汚れた水や泥を人目に触れないようにすることができる植木鉢用受皿を提供する。【解決手段】  植木鉢１０を載置して植木鉢１０の底穴１８から排出される水を受けるための植木鉢用受皿２。この植木鉢用受皿２は、底壁４と、底壁４の上面に設けられた外壁６及び内壁８とを備え、外壁６は底壁４の外周部に設けられ、また内壁８は外壁６の内側に配設されており、内壁８の内側には、植木鉢１０の底穴１８から排出される水を貯める貯水空間２０が規定される。これにより、植木鉢１０の底穴１８から排出される汚れた水や泥を人目に触れないようにすることが可能となる。【選択図】  図３
2006141282.tif 000002
【特許請求の範囲】
【請求項１】
植木鉢を載置して前記植木鉢の底穴から排出される水を受けるための植木鉢用受皿において、
底壁と、前記底壁の上面に設けられた外壁及び内壁とを備え、前記外壁は前記底壁の外周部に設けられ、また前記内壁は前記外壁の内側に配設されており、前記内壁の内側には、前記植木鉢の前記底穴から排出される水を貯める貯水空間が規定されることを特徴とする植木鉢用受皿。
【請求項２】
前記内壁は、前記底壁の周方向に所定の間隔を置いて設けられた複数の載置部と、前記複数の載置部間を連結する複数の接続壁部とから構成され、前記植木鉢は前記複数の載置部に載置されることを特徴とする請求項１に記載の植木鉢用受皿。
【請求項３】
前記内壁は、前記外壁の内側に設けられた周壁部と、前記周壁部の上端部に周方向に所定の間隔を置いて設けられた複数の載置部とから構成され、前記植木鉢は前記複数の載置部に載置されることを特徴とする請求項１に記載の植木鉢用受皿。
【請求項４】
前記複数の載置部の各々は、前記複数の接続壁部又は前記周壁部により規定される基準内壁円の内側から外側にかけて設けられていることを特徴とする請求項２又は３に記載の植木鉢用受皿。
【請求項５】
前記外壁の高さは、前記内壁の高さよりも高く構成されていることを特徴とする請求項１〜４のいずれかに記載の植木鉢用受皿。
【請求項６】
前記底壁の上面は、前記外壁側より前記内壁側に向けて下り傾斜していることを特徴とする請求項１〜５のいずれかに記載の植木鉢用受皿。
【請求項７】
前記内壁の前記接続壁部には切欠きが設けられていることを特徴とする請求項２，４〜６のいずれかに記載の植木鉢用受皿。
【請求項８】
前記内壁は、前記底壁に着脱自在に装着されることを特徴とする請求項１〜７のいずれかに記載の植木鉢用受皿。
【請求項９】
前記内壁は、前記底壁の上面に複数設けられていることを特徴とする請求項１〜８のいずれかに記載の植木鉢用受皿。
【発明の詳細な説明】
【技術分野】
【０００１】
本発明は、植木鉢を載置して植木鉢の底穴から排出される水を受けるための植木鉢用受皿に関する。
【背景技術】
【０００２】
例えば室内のインテリアとして、一般家庭などで観葉植物などの植物が室内で育成されている。植物が植えられた植木鉢を室内の床などに置く場合には、床などが汚れないように植木鉢は植木鉢用受皿に載置される。従来の植木鉢用受皿は、円盤状の底壁と、底壁の外周部に設けられた外壁とから構成されており、植木鉢はこの底壁の上面に載置される。
【０００３】
植木鉢に植えた植物に水遣りを行うと、水が植木鉢内の土に浸透して植物により吸収される。この時、植物や土に吸収されなかった余分な水は、植木鉢の底穴より植木鉢の外部へ排出され、この植木鉢の底穴より排出された水は植木鉢用受皿により受けられる（例えば、特許文献１参照）。
【０００４】
【特許文献１】実開昭６４−３５４５号公報
【発明の開示】
【発明が解決しようとする課題】
【０００５】
しかしながら、従来の植木鉢用受皿では、次のような問題がある。植木鉢に植えた植物に水遣りを行うと、植木鉢の底穴からは植木鉢内の土が混じった水や泥が排出され、この汚れた水や泥が植木鉢用受皿の底壁全体に溜まることとなる。すると、植木鉢が例えば室内の食卓などに置かれている場合には、植木鉢用受皿に溜まった汚れた水などが人目に触れるようになって見栄えが悪くなり、室内のインテリアとして好ましいものではなかった。
【０００６】
本発明の目的は、植木鉢の底穴から排出された汚れた水などを人目に触れないようにすることができる植木鉢用受皿を提供することである。
【課題を解決するための手段】
【０００７】
本発明の請求項１に記載の植木鉢用受皿では、植木鉢を載置して前記植木鉢の底穴から排出される水を受けるための植木鉢用受皿において、
底壁と、前記底壁の上面に設けられた外壁及び内壁とを備え、前記外壁は前記底壁の外周部に設けられ、また前記内壁は前記外壁の内側に配設されており、前記内壁の内側には、前記植木鉢の前記底穴から排出される水を貯める貯水空間が規定されることを特徴とする。
【０００８】
また、本発明の請求項２に記載の植木鉢用受皿では、前記内壁は、前記底壁の周方向に所定の間隔を置いて設けられた複数の載置部と、前記複数の載置部間を連結する複数の接続壁部とから構成され、前記植木鉢は前記複数の載置部に載置されることを特徴とする。
【０００９】
さらに、本発明の請求項３に記載の植木鉢用受皿では、前記内壁は、前記外壁の内側に設けられた周壁部と、前記周壁部の上端部に周方向に所定の間隔を置いて設けられた複数の載置部とから構成され、前記植木鉢は前記複数の載置部に載置されることを特徴とする。
【００１０】
さらにまた、本発明の請求項４に記載の植木鉢用受皿では、前記複数の載置部の各々は、前記複数の接続壁部又は前記周壁部により規定される基準内壁円の内側から外側にかけて設けられていることを特徴とする。
【００１１】
また、本発明の請求項５に記載の植木鉢用受皿では、前記外壁の高さは、前記内壁の高さよりも高く構成されていることを特徴とする。
さらに、本発明の請求項６に記載の植木鉢用受皿では、前記底壁の上面は、前記外壁側より前記内壁側に向けて下り傾斜していることを特徴とする。
【００１２】
さらにまた、本発明の請求項７に記載の植木鉢用受皿では、前記内壁の前記接続壁部には切欠きが設けられていることを特徴とする。
また、本発明の請求項８に記載の植木鉢用受皿では、前記内壁は、前記底壁に着脱自在に装着されることを特徴とする。
【００１３】
さらに、本発明の請求項９に記載の植木鉢用受皿では、前記内壁は、前記底壁の上面に複数設けられていることを特徴とする。
【発明の効果】
【００１４】
本発明の請求項１に記載の植木鉢用受皿によれば、底壁の上面に設けられた内壁の内側には、植木鉢の底穴から排出される水を貯める貯水空間が規定されているので、植木鉢の底部によって貯水空間がその上方より覆われ、また植木鉢に植えた植物に水遣りを行った際には、植木鉢の底穴から排出される汚れた水や泥が貯水空間に貯められる。その結果、植木鉢の底部によって貯水空間に貯まった汚れた水などが隠されるため、この汚れた水などを人目に触れないようにすることが可能となり、室内に植木鉢を置いた場合であっても室内のインテリア性を損なうことがなくなる。
【００１５】
また、本発明の請求項２に記載の植木鉢用受皿によれば、植木鉢は、底壁の周方向に所定の間隔を置いて設けられた複数の載置部に載置されるので、植木鉢を安定して植木鉢用受皿に載置することが可能となる。
【００１６】
さらに、本発明の請求項３に記載の植木鉢用受皿によれば、植木鉢は、周壁部の上端部に周方向に所定の間隔を置いて設けられた複数の載置部に載置されるので、植木鉢を安定して植木鉢用受皿に載置することが可能となる。
【００１７】
さらにまた、本発明の請求項４に記載の植木鉢用受皿によれば、複数の載置部の各々は、複数の接続壁部又は周壁部により規定される基準内壁円の内側から外側にかけて設けられているので、種々のサイズの植木鉢を複数の載置部に安定して載置することが可能となる。
【００１８】
また、本発明の請求項５に記載の植木鉢用受皿によれば、外壁の高さは内壁の高さよりも高く構成されているので、この外壁により、貯水空間に貯まった汚れた水などをより確実に人目に触れないようにすることが可能となる。
【００１９】
さらに、本発明の請求項６に記載の植木鉢用受皿によれば、底壁の上面は外壁側より内壁側に向けて下り傾斜しているので、貯水空間から水が溢れ出て外壁と内壁との間の環状空間に溜まった場合に、この水を底壁の上面の内壁側に集めることができる。これにより、底壁の上面の内壁側に集まった水は植木鉢の底部の陰となるため、この底壁の上面に溜まった水を人目に触れにくくすることが可能となる。
【００２０】
さらにまた、本発明の請求項７に記載の植木鉢用受皿によれば、内壁の接続壁部には切欠きが設けられているので、貯水空間に貯まった水が満水となった場合には、この切欠きから水が貯水空間の外部へ溢れ出るようになり、その結果、貯水空間に貯まった水を効率よく貯水空間の外部へ排出することができる。
【００２１】
また、本発明の請求項８に記載の植木鉢用受皿によれば、内壁は、底壁に着脱自在に装着されるので、植木鉢用受皿の加工・成型が容易となり、製造コストを低減させることが可能となる。
【００２２】
さらに、本発明の請求項９に記載の植木鉢用受皿によれば、内壁は底壁の上面に複数設けられているので、１つの植木鉢用受皿に複数の植木鉢を載置することができ、これにより、室内の食卓などの限られたスペースに複数の植木鉢を効率よく配置することが可能となる。
【発明を実施するための最良の形態】
【００２３】
以下、添付図面を参照して、本発明に従う植木鉢用受皿の各種実施形態について説明する。
第１の実施形態
まず、図１〜図３を参照して、第１の実施形態の植木鉢用受皿について説明する。図１は、第１の実施形態による植木鉢用受皿を示す斜視図、図２は、第１の実施形態による植木鉢用受皿を示す平面図、図３は、植木鉢を載置した状態での、図２の植木鉢用受皿のＡ−Ａ’線による断面図である。
【００２４】
図１〜図３を参照して、図示の植木鉢用受皿２は、底壁４と、底壁４の上面（図３において上側の端面）に設けられた外壁６及び内壁８とから構成されており、その素材は例えばプラスチックや陶器などで形成される。以下、植木鉢用受皿２の各構成要素について詳細に説明する。
【００２５】
底壁４は円盤状に形成されており、この底壁４の外径は、載置する植木鉢１０の底部１２の外径よりも大きく構成されている。また、底壁４の上面は、外壁６側から内壁８側（後述する）に向けて、角度α（例えば、５〜１５度程度）でもって下り傾斜している（図３参照）。
【００２６】
外壁６は筒状に形成されており、底壁４の外周部より上方（図３において上側方向）に突出して設けられている。また、外壁６はテーパ状に拡がっており、一端（図３において下側）の外径は、他端（図３において上側）の外径よりも幾分小さく構成されている。
【００２７】
内壁８は、底壁４の周方向に所定の間隔を置いて設けられた複数（本実施形態では、３個）の載置部１４と、複数の載置部１４同士を連結する複数（本実施形態では、３個）の接続壁部１６とから構成され、この内壁８は、外壁６の径方向内側（すなわち、底壁４の外周部よりも内側）に配設されている。載置部１４は円柱状に形成され、底壁４の上面に固定的に設けられている。また、接続壁部１６は弧状に湾曲した板状に形成されており、その両端部はそれぞれ載置部１４の外周面に一体的に接続され（すなわち、載置部１４同士が接続壁部１６により連結され）、またその底部は底壁４の上面に固定的に設けられている。これにより、内壁８の内側、すなわち複数の載置部１４及び複数の接続壁部１６により囲まれる空間には、植木鉢１０の底穴１８から排出される水を貯める貯水空間２０（後述する）が規定される。また、複数の接続壁部１６により規定される基準内壁円２２は、図２中の一点鎖線で示すように円形状となり、複数の載置部１４の各々は、この基準内壁円２２の内側から外側にかけて設けられている（すなわち、基準内壁円２２よりも内側及び外側にそれぞれ突出して設けられている）。さらに、載置部１４の高さと接続壁部１６の高さとはほぼ同じ高さに構成され、また外壁６の高さＨ１（図３参照）は、内壁８（すなわち、載置部１４及び接続壁部１６）の高さＨ２（図３参照）よりも高く構成されている。この時、内壁の高さＨ２は、後述するように貯水空間２０内にある程度の量の水が貯められるようにするため、約１．７ｃｍ程度以上とするのが好ましく、また、外壁６の高さＨ１と内壁８の高さＨ２との差は、約２〜４ｃｍ程度とするのが好ましい。このように外壁６を高く構成することによって、載置した植木鉢１０の底壁４の径方向外側がこの外壁６により覆われ、植木鉢１０の美観を保つことができる。また、複数の接続壁部１６のうち所定の接続壁部１６には、その上端部に例えば半円状の切欠き２４（後述する）が設けられている。
【００２８】
以上のようにして構成された植木鉢用受皿２の使用方法について、図１〜図３を参照しながら説明する。まず、植木鉢１０の底部１２を複数の載置部１４のそれぞれに載置して、植木鉢１０を植木鉢用受皿２に載置する。かく載置した状態においては、図２中の二点鎖線で示すように、植木鉢１０の底部１２の外径が、基準内壁円２２の外径よりも大きい場合であっても、植木鉢１０を安定して複数の載置部１４に載置することができる。一方、図２中の破線で示すように、植木鉢１０の底部１２の外径が、基準内壁円２２の外径よりも小さい場合であっても、植木鉢１０を安定して複数の載置部１４に載置することができる。すなわち、複数の載置部１４に載置することができる植木鉢１０の底部１２の外径の範囲は、複数の載置部１４の内周縁により規定される円の外径よりも大きく、また複数の載置部１４の外周縁により規定される円の外径以下となる。したがって、底部１２の外径の異なる（すなわち、サイズの異なる）植木鉢１０であっても、安定して複数の載置部１４に載置することができ、種々のサイズの植木鉢１０に対応することが可能となる。また、植木鉢１０の底部１２の中央部には円形状の底穴１８が設けられており、植木鉢１０の底部１２を複数の載置部１４に載置した際には、この底穴１８が貯水空間２０の上方に位置される。
【００２９】
このように植木鉢１０を植木鉢用受皿２に載置した後、じょうろなど（図示せず）を用いて植木鉢１０に植えた植物に対して水遣りを行うと、水が植木鉢１０内の土に浸透して植物に吸収される。この時、植物や土に吸収されなかった余分な水は、植木鉢１０内を下方に浸透して植木鉢１０の底穴１８より排出され、この底穴１８より排出された水は内壁８の内側の貯水空間２０内に貯められる。したがって、貯水空間２０には、植木鉢１０内の土が混じった汚れた水や泥が貯められることとなる。植木鉢１０の底部１２の外径が、基準内壁円２２の外径と等しい又はこれよりも大きい場合には、貯水空間２０はその上面が植木鉢１０の底部１２により完全に覆われることとなり、貯水空間２０に貯められた汚れた水などは人目に触れることがない。また、植木鉢１０の底部１２の外径が基準内壁円２２の外径よりも小さい場合には、貯水空間２０は、その上面の大部分が植木鉢１０の底部１２により覆われることとなり、また外壁６の高さが内壁８の高さよりも高く構成されているため、貯水空間２０に貯められた汚れた水などは人目に触れにくくなる。このように、植木鉢１０の底穴１８から排出される汚れた水などは内壁８の内側の貯水空間２０に貯められて人目に触れることがなく、植木鉢１０を室内の食卓などに置いた場合でも室内のインテリア性を損なうことがない。
【００３０】
また、植木鉢１０の底穴１８から排出される水の量が多い場合などには、貯水空間２０内の水の水位が内壁８の高さＨ２又はその近傍まで上昇し、貯水空間２０に貯められた水が満水となる。このような時には、貯水空間２０に貯められた水が満水となる前にこの水を捨てればよいが、満水となったまま気付かないことも多い。このように貯水空間２０に貯められた水が満水のままであると、植木鉢１０の底部１２を複数の載置部１４に載置した状態においては、複数の接続壁部１６及び複数の載置部１４と植木鉢１０の底部１２との間にはそれぞれ空隙がほとんど存在しないため、貯水空間２０内の水が植木鉢１０内の土に再び吸い上げられるなどして植物が根腐れを起こす恐れがある。本実施形態の植木鉢用受皿２では、内壁８の接続壁部１６に切欠き２４を設けているので、貯水空間２０内の水はこの切欠き２４より貯水空間２０の外部（すなわち、外壁６と内壁８との間の空間）へと溢れ出す（図１参照）。すなわち、この切欠き２４が、水が貯水空間２０から外部へ溢れ出す際の流路となり、これにより、貯水空間２０からの水を効率よく貯水空間２０の外部へ排出することができ、植物が根腐れを起こすのを防止することが可能となる。また、水が貯水空間２０から溢れ出すことによって、貯水空間２０に貯められた水が満水になったことが確認でき、貯水空間２０内の水を捨てるなどの適切な処置を行うことが可能となる。
【００３１】
そして、切欠き２４より溢れ出た水は、外壁６と内壁８との間の環状空間に溜まることとなる。外壁６と内壁８との間の底壁４の上面は、外壁６側から内壁８側に向けて下り傾斜しているため、水は底壁４の上面の内壁８側に溜まることとなる（図３参照）。底壁４の上面の内壁８側は植木鉢１０の底部１２の陰となるため、底壁４の上面の内壁８側に溜まった水は人目に触れにくくなり、この場合においても室内のインテリア性を損なうことがない。なお、外壁６の高さＨ１を、内壁８の高さＨ２の例えば２〜３倍程度の高さとすることにより、この外壁６が目隠しとなって、底壁４の上面の内壁８側に溜まった水をより人目に触れにくくすることが可能となる。
【００３２】
なお、本実施形態では、載置部１４の高さと接続壁部１６の高さとを同じ高さに構成したが、接続壁部１６の高さを載置部１４の高さよりも低く構成してもよい。これにより、植木鉢１０の底部１２と接続壁部１６の上端部との間には排水空間（図示せず）が規定され、貯水空間２０の水はこの排水空間を通して貯水空間２０の外部へ溢れ出すようになる。この場合でも、図示しないが、接続壁部１６には切欠き２４を設けることが好ましく、切欠き２４は貯水空間２０の水が外部へ溢れ出す際の最初の流路となる。あるいは、このような切欠き２４を省略することも可能である。
【００３３】
また、本実施形態では、載置部１４を円柱状に形成したが、これに限られず、例えば三角柱状や四角柱状などの多角柱状に形成したり、あるいは載置部１４の断面を星形状やハート形状などに形成してもよく、その形状は機能性やデザイン性等を考慮することにより適宜設定することができる。さらに、本実施形態では、切欠き２４を１個のみ設けたが、これに限られず、複数の接続壁部１６にそれぞれ切欠き２４を設けるようにしてもよい。
【００３４】
さらにまた、本実施形態では、底壁４の上面を外壁６側より内壁８側に向けて下り傾斜に構成したが、このような傾斜を設けずに平面状とすることも可能である。この場合には、外壁６の高さＨ１をより高く（例えば、内壁８の高さＨ２の３〜４倍程度）構成するのが好ましく、これにより、この外壁６を目隠しとして用い、外壁６と内壁８との間の底壁４の上面の全域に溜まった水が人目に触れにくくなるようにする。
【００３５】
また、本実施形態では、複数の載置部１４の各々を、基準内壁円２２の内側から外側にかけて設けたが、これに限られず、例えばこの基準内壁円２２より内側のみに設けるようにしてもよく、あるいはこの基準内壁円２２より外側のみに設けるようにしてもよい。
【００３６】
第２の実施形態
次に、図４及び図５を参照して、第２の実施形態の植木鉢用受皿について説明する。図４は、第２の実施形態による植木鉢用受皿を示す斜視図、図５は、第２の実施形態による植木鉢用受皿を示す平面図である。なお、以下の実施形態において、第１の実施形態と実質上同一の構成要素には同一の符号を付し、その説明を省略する。
【００３７】
第２の実施形態の植木鉢用受皿２Ａでは、内壁８Ａの載置部１４Ａは細長い略ブロック状に形成されており、載置部１４Ａの一端部は基準内壁円２２の内側（すなわち、貯水空間内）に突出し、またその他端部は外壁６まで延びて外壁６の内周面に一体的に接続されている。また、載置部１４Ａの一端部では、両角部が削られて丸みを帯びたものとなっている（図４及び図５参照）。このように載置部１４Ａを外壁６まで設けることによって、複数の載置部１４Ａに載置することができる植木鉢（図示せず）の底部１２の最大の外径は、載置部１４Ａの上端面の高さにおける外壁６の内径より僅かに小さい外径とすることができ、より多くのサイズの植木鉢に対応させることが可能となる。
【００３８】
また、図５中の二点鎖線で示すように、植木鉢の底部１２の外径が載置部１４Ａの上端面の高さにおける外壁６の内径より僅かに小さい（すなわち、複数の載置部１４Ａに載置することができる最大の外径）場合には、外壁６と内壁８との間の空間は植木鉢の底部１２によりほぼ完全に覆われることとなる。これにより、貯水空間２０より溢れ出た水が外壁６と内壁８Ａとの間の底壁４の上面に溜まった場合に、この水を人目に触れないようにすることが可能となる。
【００３９】
なお、図示しないが、複数の載置部１４Ａの各一端部をそれぞれ基準内壁円２２の中心近傍まで延ばすようにしてもよい。これにより、比較的小さな植木鉢であっても複数の載置部１４Ａに載置することが可能となる。
【００４０】
第３の実施形態
次に、図６及び図７を参照して、第３の実施形態の植木鉢用受皿について説明する。図６は、第３の実施形態による植木鉢用受皿を示す斜視図、図７は、植木鉢を載置した状態での、図６の植木鉢用受皿のＢ−Ｂ’線による断面図である。
【００４１】
第３の実施形態の植木鉢用受皿２Ｂでは、内壁８Ｂは、底壁４に設けられた円筒状の周壁部１６Ｂと、この周壁部１６Ｂの上端部に周方向に所定の間隔を置いて設けられた複数（本実施形態では、４個）の載置部１４Ｂとから構成されている。複数の載置部１４Ｂの各々は円盤状に形成され、また周壁部１６Ｂにより規定される基準内壁円（すなわち、貯水空間２０）の内側から外側にかけて設けられている。植木鉢１０の底部１２を複数の載置部１４Ｂに載置した際には、植木鉢１０の底部１２と周壁部１６Ｂの上端部との間には排水空間２６が規定される（図７参照）。これにより、貯水空間２０内の水が満水になると、水がこの排水空間２６を通して貯水空間２０の外部へ排出されて、外壁６と内壁８Ｂとの間の底壁４の上面に溜められる。なお、図示しないが、この場合でも周壁部１６Ｂの上端部に切欠きを設けることも可能であり、このように切欠きを設けることによって、この切欠きを貯水空間２０内の水が外部に溢れ出す際の最初の流路とすることが可能となる。
【００４２】
また、この本実施形態においても、上記各実施形態と同様に、サイズの異なる植木鉢１０を複数の載置部１４Ｂに載置することが可能となる。
なお、図示しないが、内壁８Ｂを円筒状の周壁部１６Ｂのみから構成し、この周壁部１６Ｂの肉厚を厚くする（例えば、２〜３ｃｍ程度）ことによって、周壁部１６Ｂの上端部を載置部として機能させることも可能である。これにより、植木鉢用受皿２Ｂの構成が簡単なものとなり、植木鉢用受皿２Ｂの製造コストを低減させることが可能となる。
【００４３】
第４の実施形態
次に、図８を参照して、第４の実施形態の植木鉢用受皿について説明する。図８は、第４の実施形態による植木鉢用受皿を示す分解斜視図である。
【００４４】
図８を参照して、第４の実施形態の植木鉢用受皿２Ｃは、受皿本体２８と、内壁体３０とから構成されており、これらは別体に構成されている。受皿本体２８は、円盤状の本体底壁３２と、本体底壁３２の外周部に設けた外壁６とから構成されている。内壁体３０は、内底壁３４と、内底壁３４の周方向に所定の間隔を置いて設けられた複数（本実施形態では、３個）の載置部１４Ｃと、複数の載置部１４Ｃ同士を連結する複数（本実施形態では、３個）の接続壁部１６Ｃとから構成されている。この複数の載置部１４Ｃ及び複数の接続壁部１６Ｃは、内壁８Ｃを構成する。複数の載置部１４Ｃの各々は、基準内壁円の内側から外側にかけて設けられており、また複数の接続壁部１６Ｃはそれぞれ内底壁３４の外周部に設けられている。また、複数の載置部１４Ｃの外周縁により規定される円の外径は、受皿本体２８の本体底壁３２の外径よりも小さく構成されており、内壁体３０は、例えば両面テープや接着剤などにより受皿本体２８の本体底壁３２の上面に着脱自在に（又は、固定的に）載置される。あるいは、受皿本体２８の本体底壁３２に凸部又は凹部を設け、内壁体３０にこの凸部又は凹部に着脱自在に係合する係合凹部又は係合凸部を設けるようにしてもよい。また、受皿本体２８の本体底壁３２の上面には上記実施形態のように傾斜は設けられておらず、平面状に構成されている。
【００４５】
なお、図示しないが、本体底壁３２の上面に、複数の載置部１４Ｃ及び複数の接続壁部１６Ｃの外周縁とほぼ同形状の外周形状を有する凹部を設け、この凹部に内壁体３０を着脱自在に嵌合するようにしてもよい。この場合は、内壁体３０の内底壁３４を省略してもよく、また本体底壁３２の上面を、外壁６側から凹部の外周部側に向けて下り傾斜するように構成してもよい。
【００４６】
このように受皿本体２８及び内壁体３０を別体に構成することにより、例えば内壁体３０の汚れがひどくなった場合には、内壁体３０を取り外してこれを新しいものに交換することができる。また、受皿本体２８及び内壁体３０を一体に構成するよりも植木鉢用受皿２Ｃの加工・成型が容易となり、その結果、植木鉢用受皿２Ｃの製造コストを低減させることが可能となる。
【００４７】
第５の実施形態
次に、図９を参照して、第５の実施形態の植木鉢用受皿について説明する。図９は、第５の実施形態による植木鉢用受皿を示す分解斜視図である。
【００４８】
図９を参照して、第５の実施形態の植木鉢用受皿２Ｄは、受皿本体２８Ｄと、複数（本実施形態では、２個）の内壁体３０Ｄとから構成されており、これらは別体に構成されている。受皿本体２８Ｄは、矩形状の本体底壁３２Ｄと、本体底壁３２Ｄの外周部に設けた外壁６Ｄとから構成されている。内壁体３０Ｄは、内底壁３４Ｄと、内底壁３４Ｄの周方向に所定の間隔を置いて設けられた複数（本実施形態では、３個）の載置部１４Ｄと、複数の載置部１４Ｄ同士を連結する複数（本実施形態では、３個）の接続壁部１６Ｄとから構成されており、複数の内壁体３０Ｄ（すなわち、複数の内壁８Ｄ）はそれぞれ、本体底壁３２Ｄの上面に並んで設けられている。このように、内壁体３０Ｄ（すなわち、内壁８Ｄ）を複数設けることにより、１つの植木鉢用受皿２Ｄに複数の植木鉢（図示せず）を載置することが可能となり、室内の食卓などの限られたスペースに複数の植木鉢を効率よく配置することが可能となる。
【００４９】
本実施形態では、内壁体３０Ｄを２個設けたが、これに限られず、例えば３個でも４個でもよく、その数は用途に応じて適宜設定することができる。また複数の内壁体３０Ｄは、本体底壁３２Ｄの長手方向に直線状に並べたり、あるいは本体底壁３２Ｄの周方向に所定の間隔を置いて並べるなど、その配置は適宜設定することが可能である。また、本実施形態では、本体底壁３２Ｄを矩形状に構成したが、これに限られず、上記各実施形態と同様に円形状に構成することもでき、その形状は適宜設定することが可能である。さらに、受皿本体２８Ｄと各内壁体３０Ｄとをそれぞれ一体に構成することも可能である。
【００５０】
以上、本発明に従う植木鉢用受皿の種々の実施形態について説明したが、本発明はかかる実施形態に限定されるものではなく、本発明の範囲を逸脱することなく種々の変形乃至修正が可能である。
【００５１】
例えば、上記各実施形態では、載置部１４（１４Ａ，１４Ｂ，１４Ｃ）を３個又は４個設けたが、これに限られず、２個でも５個でもよく、その数は適宜設定することができる。また、上記各実施形態では、底壁４（本体底壁３２，３２Ｄ）を円形状又は矩形状に構成したが、例えば五角形状や六角形状などの多角形状でもよく、植木鉢１０の形状等に合わせてその形状を適宜設定することができる。
【図面の簡単な説明】
【００５２】
【図１】第１の実施形態による植木鉢用受皿を示す斜視図。
【図２】第１の実施形態による植木鉢用受皿を示す平面図。
【図３】植木鉢を載置した状態での、図２の植木鉢用受皿のＡ−Ａ’線による断面図。
【図４】第２の実施形態による植木鉢用受皿を示す斜視図。
【図５】第２の実施形態による植木鉢用受皿を示す平面図。
【図６】第３の実施形態による植木鉢用受皿を示す斜視図。
【図７】植木鉢を載置した状態での、図６の植木鉢用受皿のＢ−Ｂ’線による断面図。
【図８】第４の実施形態による植木鉢用受皿を示す分解斜視図。
【図９】第５の実施形態による植木鉢用受皿を示す斜視図。
【符号の説明】
【００５３】
２，２Ａ，２Ｂ，２Ｃ、２Ｄ  植木鉢用受皿
４  底壁
６，６Ｄ  外壁
８，８Ａ，８Ｂ，８Ｄ  内壁
１０  植木鉢
１４，１４Ａ，１４Ｂ，１４Ｃ，１４Ｄ  載置部
１６，１６Ｃ，１６Ｄ  接続壁部
１６Ｂ  周壁部
１８  底穴
２０  貯水空間
２２  基準内壁円
２４  切欠き
【図１】
2006141282.tif 000003
【図２】
2006141282.tif 000004
【図３】
2006141282.tif 000005
【図４】
2006141282.tif 000006
【図５】
2006141282.tif 000007
【図６】
2006141282.tif 000008
【図７】
2006141282.tif 000009
【図８】
2006141282.tif 000010
【図９】
2006141282.tif 000011